(57)【要約】【課題】本発明の実施形態は、応答のサブスクリプションに関して当技術の欠陥に対処し、複数のソーシャル・ネットワークにまたがった集中型応答追跡の方法、システムおよびコンピュータ・プログラム製品を提供する。【解決手段】本発明の一実施形態では、ソーシャル・ネットワーキングの応答を追跡する方法を提供することができる。本方法は、集中型応答追跡システムにおいて、ユーザあるいはユーザ・グループの或るユーザによる投稿に基づいて、サブスクライバを当該ユーザまたは当該ユーザ・グループに関連付けるステップと、広域コンピュータ通信ネットワークの各所に配置されている各種様々なフォーラムへの当該ユーザからの様々な投稿を集約するステップと、集約された投稿について、集中型応答追跡システムからサブスクライバに通知するステップと、を含むことができる。【選択図】図３
2011514570.tif 000002
【特許請求の範囲】
【請求項１】
集中型応答追跡システムにおいて、ユーザの投稿に基づいて複数のサブスクライバを前記ユーザに関連付けるステップと、
前記集中型応答追跡システムにおいて、広域コンピュータ通信ネットワークの各所に配置された各種様々なフォーラムへの前記ユーザからの様々な投稿を集約するステップと、
前記集約された投稿について、前記集中型応答追跡システムから前記サブスクライバに通知するステップと、
を含む、ソーシャル・ネットワーキング応答追跡の方法。
【請求項２】
集中型応答追跡システムにおいて、ユーザの投稿に基づいて複数のサブスクライバを前記ユーザに関連付ける前記ステップは、ユーザ・グループのユーザによる投稿に基づいて複数のサブスクライバを前記ユーザ・グループに関連付けるステップを含む、請求項１に記載の方法。
【請求項３】
集中型応答追跡システムにおいて、ユーザの投稿に基づいて複数のサブスクライバを前記ユーザに関連付ける前記ステップは、コンテンツ・ブラウザに表示されている選択された投稿に従って前記ユーザとの関連付けを要求するように構成されている、前記コンテンツ・ブラウザのユーザ・インターフェース制御から、要求を受信するステップを含む、請求項１または２に記載の方法。
【請求項４】
広域コンピュータ通信ネットワークの各所に配置された各種様々なフォーラムへの前記ユーザからの様々な投稿を集約する前記ステップは、
前記各種様々なフォーラムに前記様々な投稿をする前記ユーザに関連付けられているコンテンツ・ブラウザから通知を受信するステップと、
前記通知に応答して、各通知毎に、前記フォーラムのうちの対応する１つから関連する投稿を抽出し、前記抽出された投稿をデータ・ストアに保存するステップと、
を含む、請求項１、２または３に記載の方法。
【請求項５】
広域コンピュータ通信ネットワークの各所に配置された各種様々なフォーラムへの前記ユーザからの様々な投稿を集約する前記ステップは、
前記ユーザによる前記様々な投稿について、前記様々なフォーラムから通知を受信するステップと、
前記通知に応答して、各通知毎に、前記フォーラムのうちの対応する１つから関連する投稿を抽出し、前記抽出された投稿をデータ・ストアに保存するステップと、
を含む、請求項１乃至４のいずれか一項に記載の方法。
【請求項６】
前記集約された投稿について前記サブスクライバに通知する前記ステップは、前記各種様々なフォーラムのフォーラム・タイプに従って、前記サブスクライバに対する通知をフィルタリングするステップを含む、請求項１乃至５のいずれか一項に記載の方法。
【請求項７】
サブスクライバのコンテンツ・ブラウザにて、前記フォーラムのうちの１つにおける前記ユーザによる投稿をレンダリングするステップと、
その他の前記様々なフォーラムにおける前記ユーザによるその他の投稿を、前記集約された様々な投稿の中で探し出すステップと、
前記探し出された投稿を前記コンテンツ・ブラウザに列挙するステップと、
をさらに含む、請求項１乃至６のいずれか一項に記載の方法。
【請求項８】
前記集約された様々な投稿に対する検索エンジン・インターフェースを提供するステップをさらに含む、請求項１乃至７のいずれか一項に記載の方法。
【請求項９】
ホスト・サーバで動作している応答追跡論理と、
前記ホスト・サーバに接続されている応答データ・ストアと、
を含む、ソーシャル・ネットワーキング・データ処理システムであって、
前記応答追跡論理は、コンピュータ通信ネットワークを介して前記ホスト・サーバに接続されている複数の様々なフォーラムのうちの１つに対するユーザによる投稿に基づいて、複数のサブスクライバを前記ユーザに関連付けることと、前記ユーザからの前記様々なフォーラムへの様々な投稿を、前記データ・ストアに集約することと、前記投稿が発生すると、前記集約された投稿について前記サブスクライバに通知することと、が可能なプログラム・コードを含む、
前記システム。
【請求項１０】
前記様々なフォーラムは、ウィキ、ブログ、スレッド型ディスカッション・フォーラム、チーム・ルーム、および共有文書ライブラリから成る群から選択されたフォーラムを含む、請求項９に記載のシステム。
【請求項１１】
ソーシャル・ネットワーキング応答追跡用のコンピュータ使用可能プログラム・コードを具現化しているコンピュータ使用可能媒体を含むコンピュータ・プログラム製品であって、前記コンピュータ・プログラム製品は、
集中型応答追跡システムにおいて、ユーザの投稿に基づいて複数のサブスクライバを前記ユーザに関連付けるコンピュータ使用可能プログラム・コードと、
広域コンピュータ通信ネットワークの各所に配置された各種様々なフォーラムへの前記ユーザからの様々な投稿を集約する、コンピュータ使用可能プログラム・コードと、
前記集約された投稿について、前記サブスクライバに通知するコンピュータ使用可能プログラム・コードと、
を含む、コンピュータ・プログラム製品。
【請求項１２】
集中型応答追跡システムにおいて、ユーザによる投稿に基づいて複数のサブスクライバを前記ユーザに関連付ける前記コンピュータ使用可能プログラム・コードは、ユーザ・グループのユーザによる投稿に基づいて複数のサブスクライバを前記ユーザ・グループに関連付けるコンピュータ使用可能プログラム・コードを含む、請求項１１に記載のコンピュータ・プログラム製品。
【請求項１３】
集中型応答追跡システムにおいて、ユーザによる投稿に基づいて複数のサブスクライバを前記ユーザに関連付ける前記コンピュータ使用可能プログラム・コードは、コンテンツ・ブラウザに表示されている選択された投稿に従って前記ユーザとの関連付けを要求するように構成されている、前記コンテンツ・ブラウザのユーザ・インターフェース制御から、要求を受信するコンピュータ使用可能プログラム・コードを含む、請求項１１または１２に記載のコンピュータ・プログラム製品。
【請求項１４】
広域コンピュータ通信ネットワークの各所に配置された各種様々なフォーラムへの前記ユーザからの様々な投稿を集約する前記コンピュータ使用可能プログラム・コードは、
前記各種様々なフォーラムに前記様々な投稿をする前記ユーザに関連付けられているコンテンツ・ブラウザから通知を受信するコンピュータ使用可能プログラム・コードと、
前記通知に応答して、各通知毎に、前記フォーラムのうちの対応する１つから関連する投稿を抽出し、前記抽出された投稿をデータ・ストアに保存する、コンピュータ使用可能プログラム・コードと、
を含む、請求項１１、１２または１３に記載のコンピュータ・プログラム製品。
【請求項１５】
広域コンピュータ通信ネットワークの各所に配置された各種様々なフォーラムへの前記ユーザからの様々な投稿を集約する前記コンピュータ使用可能プログラム・コードは、
前記ユーザによる前記様々な投稿について、前記様々なフォーラムから通知を受信するコンピュータ使用可能プログラム・コードと、
前記通知に応答して、各通知毎に、前記フォーラムのうちの対応する１つから関連する投稿を抽出し、前記抽出された投稿をデータ・ストアに保存する、コンピュータ使用可能プログラム・コードと、
を含む、請求項１１、１２、１３または１４に記載のコンピュータ・プログラム製品。
【発明の詳細な説明】
【技術分野】
【０００１】
本発明は、ソーシャル・ネットワーキングの分野に関し、特に、書き込まれたコンテンツを、複数の様々なソーシャル・ネットワークの中で追跡することに関する。
【背景技術】
【０００２】
協調コンピューティングとは、コンピューティング・システムにおいてコンテンツ要素に対し共同で責任を持つことを意味する。２０年あまり前のプロジェクト管理に端を発する協調コンピューティング環境は、今や、単なるプロジェクト管理ならびにカレンダリングおよびスケジューリングのシステムから本格的な活動を中心とする環境にまで及んでいる。近年のインターネット技術の発達−−すなわち、ソーシャル・ネットワークと称されることの多い、第２世代のウェブベース通信−−は、協調コンピューティング・システムに新たな息吹を吹き込んできた。そのようなソーシャル・ネットワークーキング・システムの協調機能を拡充してきた代表的な技術として、ウィキ、ブログ、ディスカッション・フォーラム、チーム・ルーム、共有ブックマーク、シンジケート・フィードなどとの統合が挙げられる。
【０００３】
ウィキ、ブログ、フォーラムおよびチーム・ルームは、その全てが基本的な投稿および応答のパラダイムを含むという点で、同じような性質を持っている。投稿および応答のパラダイムは、或るコラボレータによるコンテンツの投稿ならびに応答するコレボレータによるコンテンツの応答投稿などを意味する。投稿と応答のパラダイムの原型は、３０年前の、基本的なスレッド型掲示板ディスカッションに見ることができる。ディスカッション・フォーラムは掲示板ディスカッションに近いものであるのに対し、チーム・ルームは、ディスカッション・フォーラムなどの様々な協調要素を高度に組み合わせたものであって、コラボレータのチームの目的を推し進めるために、チームに協調ツールを提供するものである。ブログは、一人の個人がきっかけとなるコンテンツを提供し、その一人の個人の投稿に応じたコメントを他のコラボレータが任意に投稿することができるという、ディスカッション・フォーラムの一形態である。従ってブログは、公の目にさらされる日記と見なすことができる。
【０００４】
ウィキは、ディスカッション・フォーラムを変化させたものである。ウィキでトピックを立てることができるのは、未定義の用語であり、定義は、コラボレータ間で社会的に受け入れられる用語定義として１つにまとまるようコラボレータによって提供される。最後に共有ブックマークであるが、これは、コラボレータ間で共有されるコンテンツに対するブックマークである。コンテンツは、タグに関連付けられ、タグは一般的に指定されるものである。関連コンテンツに同じタグを付与する人が増えるほど、そのコンテンツは人気があると見なされ、人気があるものとして「タグ・クラウド」形式で視覚的に表現されるようになる。
【０００５】
ソーシャル・ネットワークの内部では、個々のユーザは、同じような意見、キャリア・パス、仕事上の責任またはチームの責任を持つ他のユーザを特定する。それぞれのユーザが実際に互いを知っているかどうかにかかわらず、ユーザ間の関係の一環として、或るユーザによる投稿に関心を持つ他のユーザへ自動的に送ることが可能であり、応答についても同様である。サブスクリプションまたはシンジケート型フィードとも称されるが、関心を持つユーザは、或るユーザがコンテンツを掲載した場合に確実に通知されるように、多数の異なるフォーラム、ウィキ、ブログなどにリンクすることができる。重要なことは、フォーラムがウィキであっても、ブログであっても、ディスカッション・フォーラムであっても、チーム・ルームであっても、他の同様のスペースであっても、或るユーザの投稿に対するサブスクリプションは常に、投稿が提供されるフォーラムに関連するということである。
【発明の概要】
【発明が解決しようとする課題】
【０００６】
やはり、多くの人は、１つのフォーラムで或るユーザの投稿に関心を持てば、その関心はそのフォーラムだけに留まらず、同じユーザが様々なフォーラムで出している投稿についてもサブスクライブしたいと思う。複数の様々なフォーラムで一人のユーザが出した投稿に関して一連のサブスクリプションを実現するには、個々の様々なフォーラムに様々なサブスクリプションをそれぞれ行わねばならない。その一人のユーザの投稿を掲載している多種多様なフォーラムを認識していない限り、コンテンツを求めてインターネットを検索することを余儀なくされる。
【課題を解決するための手段】
【０００７】
本発明の実施形態は、応答のサブスクリプションに関して当技術の欠陥に対処し、複数のソーシャル・ネットワークにまたがって応答を追跡する新規かつ非自明の方法、システムおよびコンピュータ・プログラム製品を提供する。本発明の一実施形態では、ソーシャル・ネットワーキングの応答追跡方法を提供することができる。本方法は、集中型応答追跡システムにおいて、ユーザあるいはユーザ・グループの或るユーザによる投稿に基づいて、サブスクライバを当該ユーザまたは当該ユーザ・グループに関連付けるステップと、広域コンピュータ通信ネットワークの各所に配置されている各種様々なフォーラムへのユーザからの様々な投稿を集約するステップと、集約された投稿についてサブスクライバに通知するステップと、を含む。
【０００８】
本実施形態の一態様では、広域コンピュータ通信ネットワークの各所に配置されている各種様々なフォーラムへのユーザからの様々な投稿を集約するステップは、各種様々なフォーラムに様々な投稿をするユーザに関連付けられているコンテンツ・ブラウザから、通知を受信するステップと、通知に応答して、各通知毎に、フォーラムのうちの対応する１つから関連する投稿を抽出し、抽出された投稿をデータ・ストアに保存するステップと、を含むことができる。本実施形態の別の態様では、広域コンピュータ通信ネットワークの各所に配置されている各種様々なフォーラムへのユーザからの様々な投稿を集約するステップは、ユーザによる様々な投稿について、様々なフォーラムから通知を受信するステップと、通知に応答して、各通知毎に、フォーラムのうちの対応する１つから関連する投稿を抽出し、抽出された投稿をデータ・ストアに保存するステップと、を含むことができる。
【０００９】
本実施形態のさらに別の態様では、集中型応答追跡システムにおいて、ユーザによる投稿に基づいて、サブスクライバを当該ユーザに関連付けるステップは、コンテンツ・ブラウザのユーザ・インターフェース制御から要求を受信するステップを含むことができ、このユーザ・インターフェース制御は、コンテンツ・ブラウザに表示されている選択された投稿に対応するユーザとの関連付けを要求するように、構成されている。特に、集約された投稿についてサブスクライバに通知するステップには、各種様々なフォーラムのフォーラム・タイプに従って、サブスクライバに対する通知をフィルタリングするステップを含めることができる。本方法はさらに、フォーラムのうちの１つにおける当該ユーザによる投稿をサブスクライバのコンテンツ・ブラウザにレンダリングするステップと、その他の様々なフォーラムにおける当該ユーザによるその他の投稿を、集約された様々な投稿の中で探し出すステップと、探し出された投稿をコンテンツ・ブラウザにて列挙するステップと、を含むことができる。最後に、本方法は、集約された様々な投稿に対する検索エンジン・インターフェースを提供するステップを含むことができる。
【００１０】
本発明の別の実施形態では、ソーシャル・ネットワーキング・データ処理システムを提供することができる。本システムは、ホスト・サーバにて動作する応答追跡論理と、ホスト・サーバに接続された応答データ・ストアと、を含むことができる。応答追跡論理は、コンピュータ通信ネットワークを介してホスト・サーバに接続されている複数の様々なフォーラムのうちの１つに対するユーザによる投稿に基づいて、サブスクライバを当該ユーザに関連付けることと、当該ユーザからの様々なフォーラムへの様々な投稿をデータ・ストアに集約することと、投稿が発生すると、集約された投稿についてサブスクライバに通知することと、が可能なプログラム・コードを含むことができる。例えば様々なフォーラムとしては、ウィキ、ブログ、スレッド型ディスカッション・フォーラム、チーム・ルーム、および共有文書ライブラリなどを挙げることができる。
【００１１】
本発明のさらなる様態は、一部は以下に続く記載にて説明されており、さらに一部は記載から明らかになるであろうし、あるいは本発明の実施によって分かることもある。本発明の様態は、添付の請求項にて特に指し示す要素および組み合わせを用いて実現され達成される。当然のことながら、請求される通り、上述の概要および以下の詳細な説明はいずれも代表的で説明的なものに過ぎず、本発明を制限するものではない。
【００１２】
本明細書に組み込まれてその一部を構成する添付の図面は、本発明の実施形態を例示するものであり、本記載とともに、本発明の原理を説明する役割を果たす。本明細書に記載の実施形態は現在好適なものであるが、当然のことながら、本発明は、提示されるそのままの機構および手段に限定されるものではない。
【図面の簡単な説明】
【００１３】
【図１】複数のソーシャル・ネットワークにまたがった応答追跡のプロセスの絵図である。
【図２】複数のソーシャル・ネットワークにまたがった応答追跡をするように構成されているソーシャル・ネットワーキング・システムの概略図である。
【図３】複数のソーシャル・ネットワークにまたがった応答追跡のプロセスを示すフロー図である。
【発明を実施するための形態】
【００１４】
本発明の実施形態は、複数のソーシャル・ネットワークにまたがった応答追跡の方法、システムおよびコンピュータ・プログラム製品を提供する。本発明の一実施形態によれば、或るユーザの投稿を、様々なフォーラムにまたがって追跡することができる。その結果として、当該ユーザの投稿のサブスクライバは、投稿が発生すると、その投稿が発生したフォーラムに関係なく、さらには当該サブスクライバがそのフォーラムを認識しているか否かにかかわらずに、様々なフォーラムにおける投稿について通知を受けることが可能になる。上記の追跡および通知は、リモートの追跡データベースと連携し、各サブスクライバに接続されている論理にて行うこともできるし、リモートの追跡データベースと連携し、参加フォーラムに接続されている論理にて行うこともできる。このようにサブスクライバは、注目しているユーザが投稿する様々なフォーラムを検索することなく、注目しているユーザの投稿を追跡することができる。
【００１５】
図１は、さらなる例示として、複数のソーシャル・ネットワークにまたがった応答追跡のプロセスを示す絵図である。図１に示すように、サブスクライバ１５０は、ユーザ１３０のフォーラム投稿１２０Ａ、１２０Ｂ、１２０Ｎをサブスクライブすることができる。自動応答追跡プロセス１４０は、サブスクライバ１５０が様々なフォーラム１１０Ａ、１１０Ｂ、１１０Ｎを知っているか否かにかかわらず、様々なフォーラム１１０Ａ、１１０Ｂ、１１０Ｎに対するユーザ１３０の投稿１２０Ａ、１２０Ｂ、１２０Ｎを監視することができる。もっと正確に言えば、投稿１２０Ａ、１２０Ｂ、１２０Ｎについては、自動応答追跡プロセス１４０に報告することができるので、その結果、自動応答追跡プロセスは、サブスクライバ１５０に伝達するために投稿１２０Ａ、１２０Ｂ、１２０Ｎを集約することができる。このように、サブスクライバ１５０は、ユーザ１３０の投稿を読むのに、様々なフォーラム１１０Ａ、１１０Ｂ、１１０Ｎの各々を探し出してサブスクライブする必要がない。
【００１６】
特に、自動応答追跡プロセス１４０は、ソーシャル・ネットワーキング・システムにおいて、システムのクライアントの一部として、またはシステム内の様々なフォーラムとして、あるいは双方の何らかの組み合わせとして管理することが可能である。例示として、図２に、複数のソーシャル・ネットワークにまたがった応答追跡をするように構成されているソーシャル・ネットワーキング・システムを概略的に示す。システムは、複数のコンピューティング・システム２４０を含む。コンピューティング・システムの各々は、様々なディスカッション・フォーラム２５０をサポートしており、さらにコンピューティング・システムの各々は、コンピュータ通信ネットワーク２２０を介してエンド・ユーザによる投稿を受信しさらにその投稿の再生を行うように構成されている。このため、ディスカッション・フォーラム２５０は、ほんのいくつかの変形例を挙げてみても、ブログからウィキ、スレッド型ディスカッション・フォーラム、チーム・ルーム、共有文書ライブラリまで多岐にわたるものとすることができる。
【００１７】
様々なユーザ２１０（説明上簡単にするために、一人のユーザのみが示されている）がコンピュータ通信ネットワーク２２０を介して、様々なフォーラム２５０に対し、投稿ならびに投稿に対する応答（集合的に「投稿」）を提供することができる。特に、ユーザ２１０の各々は、個人とすることもあるいは個人の集団とすることもできる。ホスト２７０にて動作している応答追跡論理２８０が、ホスト２７０に接続されている応答データ・ストア２６０にて、ユーザ２１０の投稿を追跡することができる。その際、応答追跡論理２８０には、ユーザの投稿に関する通知を受信すること、ならびに投稿を応答データ・ストア２６０に集約することが可能なプログラム・コードを含めることができる。応答追跡論理２８０のこのプログラム・コードはさらに、ユーザ２１０の投稿の様々なサブスクライバ２３０に対し、コンピュータ通信ネットワークを介して投稿について通知することを可能にすることができる。
【００１８】
この点に関し、サブスクライバ２３０の各々は、ユーザ２１０のフォーラム２５０への投稿に関する通知を応答追跡論理２８０から受信するために、ユーザ２１０を指定するだけでよく、フォーラム２５０のうちのいずれか特定のフォーラムを指定する必要はない。任意に、サブスクライバ２３０は、投稿が発生したフォーラム２５０の性格に基づいて、投稿に関する通知を制限することができる。例えば、サブスクライバ２３０の各人が、通知をウィキならびにスレッド型ディスカッション・フォーラムへの投稿に限定して、ブログを除外することもできる。さらに、サブスクライバ２３０の各々のコンテンツ・ブラウザにユーザ・インターフェース・アドオンを設けて、サブスクライバがユーザ２１０の投稿を選択するとアドオンを始動できるようにし、それにより、フォーラム２５０の全てあるいは選択されたものに対するユーザ２１０の投稿を集約して、サブスクライブできるようにする。さらに、既定のセキュリティ・ポリシに基づいて、サブスクライバ２３０の各々に対し、ユーザ２１０による投稿へのアクセスを制限することも可能である。
【００１９】
さらに、応答追跡論理２８０のプログラム・コードは、ユーザ２１０のクライアントにて投稿が発生するとその投稿を捕捉することができ、あるいは応答追跡論理２８０は、応答追跡論理２８０に登録されている様々なフォーラム２５０による投稿に関する通知を、照会することまたは受動的に受信することができ、あるいは応答追跡論理のプログラム・コードは、フォーラム２５０の各々をスキャンしてユーザ２１０による新たな投稿を見つけることもできる。任意に、ユーザ２１０の行動に対し自動的にタグ付けを行うことができ、その場合、ユーザ２１０のその行動に関するメタデータが保存される。応答データ・ストア２６０にユーザ２１０の投稿が格納されたら、サブスクライバ２３０にさらなるフィルタリングおよび集約が提供できるように、コンテンツ検索エンジンを用いて応答データ・ストア２６０を検索することができる。
【００２０】
図３は、応答追跡論理２８０の動作に関するさらなる例示として、複数のソーシャル・ネットワークにまたがった応答追跡のプロセスを示すフロー図である。始めにブロック３１０にて、或るフォーラムにおける或るユーザによる投稿を検出することができ、ブロック３２０にて、そのユーザを、追跡されるユーザの一覧と比較することができる。決定ブロック３３０にて、そのユーザが追跡されるユーザであるか否かを判断することができる。追跡されるユーザである場合、ブロック３４０にて、その投稿を、他のフォーラムからの他の投稿と集約することができる。その後、ブロック３５０にて、このユーザの投稿に対するサブスクライバの一覧を抽出することができる。最後に、ブロック３６０にて、投稿に関する通知を、一覧の中のサブスクライバ各々に対して提供することができる。ただし、投稿が検出されたフォーラムが共通して使っているフォーラム・タイプについてそのフォーラム・タイプからの投稿については受信しないという好みを明らかにしているサブスクライバは、この限りではない。
【００２１】
本発明の実施形態は、完全なハードウェアの実施形態、または完全なソフトウェアの実施形態、あるいはハードウェアおよびソフトウェア双方の要素を含む実施形態の形をとることができる。好適な一実施形態では、本発明が、ファームウェア、常駐ソフトウェア、マイクロコードなどを含むがこれらに限定されないソフトウェアで実現される。さらに、本発明は、コンピュータ使用可能またはコンピュータ可読の媒体からアクセス可能なコンピュータ・プログラム製品の形をとることができ、このコンピュータ・プログラム製品は、コンピュータまたは何らかの命令実行システムによってあるいはこれらと関連して使用されるプログラム・コードを提供する。
【００２２】
本記載の目的上、コンピュータ使用可能またはコンピュータ可読の媒体は、命令実行システム、装置またはデバイスによってあるいはこれらと関連して使用される、プログラムを収容、保存、通信、伝搬、または搬送することの可能な任意の装置とすることができる。媒体は、電子、磁気、光学、電磁気、赤外線、または半導体のシステム（または装置もしくはデバイス）あるいは伝搬媒体とすることができる。コンピュータ可読媒体の例としては、半導体すなわちソリッド・ステートのメモリ、磁気テープ、着脱可能なコンピュータ・ディスケット、ランダム・アクセス・メモリ（ＲＡＭ：ｒａｎｄｏｍ  ａｃｃｅｓｓ  ｍｅｍｏｒｙ）、読み取り専用メモリ（ＲＯＭ：ｒｅａｄ−ｏｎｌｙ  ｍｅｍｏｒｙ）、固定型磁気ディスクおよび光ディスクが挙げられる。光ディスクの現行の例としては、コンパクト・ディスク−読み取り専用メモリ（ＣＤ−ＲＯＭ：ｃｏｍｐａｃｔ  ｄｉｓｋ−ｒｅａｄ  ｏｎｌｙ  ｍｅｍｏｒｙ）、コンパクト・ディスク−読み／書き（ＣＤ−Ｒ／Ｗ：ｃｏｍｐａｃｔ  ｄｉｓｋ−ｒｅａｄ／ｗｒｉｔｅ）およびＤＶＤが挙げられる。
【００２３】
プログラム・コードの保存または実行あるいはその両方に適したデータ処理システムは、システム・バスを通じてメモリ要素に直接的あるいは間接的に接続されている、少なくとも１つのプロセッサを含むことになる。メモリ要素には、プログラム・コードの実際の実行時に採用されるローカル・メモリと、大容量ストレージと、実行中に大容量ストレージからコードを抽出しなければならない回数を減らすために、少なくとも一部のプログラム・コードに関する一時的ストレージを提供するキャッシュ・メモリと、を含めることができる。入力／出力すなわちＩ／Ｏ（ｉｎｐｔ／ｏｕｔｐｕｔ）デバイス（キーボード、ディスプレイ、ポインティング・デバイスなどを含むがこれらに限定されない）が、直接的にまたは介在するＩ／Ｏコントローラを通じてのいずれかでシステムに接続されていることがある。同様にネットワーク・アダプタもシステムに接続されて、データ処理システムが、他のデータ処理システムまたはリモートのプリンタまたはストレージ・デバイスに、介在するプライベートまたはパブリックのネットワークを介して、接続されるようにしてもよい。モデム、ケーブル・モデムおよびＥｔｈｅｒｎｅｔ（Ｒ）カードは、ネットワーク・アダプタの現在利用可能なタイプのほんの一部である。
【図１】
2011514570.tif 000003
【図２】
2011514570.tif 000004
【図３】
2011514570.tif 000005
【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
集中型応答追跡システムにおいて、ユーザの投稿に基づいて複数のサブスクライバを前記ユーザに関連付けるステップと、
前記集中型応答追跡システムにおいて、広域コンピュータ通信ネットワークの各所に配置された各種様々なフォーラムへの前記ユーザからの様々な投稿を集約するステップと、
前記集約された投稿について、前記集中型応答追跡システムから前記サブスクライバに通知するステップと、
を含む、ソーシャル・ネットワーキング応答追跡の方法。
【請求項２】
集中型応答追跡システムにおいて、ユーザの投稿に基づいて複数のサブスクライバを前記ユーザに関連付ける前記ステップは、ユーザ・グループのユーザによる投稿に基づいて複数のサブスクライバを前記ユーザ・グループに関連付けるステップを含む、請求項１に記載の方法。
【請求項３】
集中型応答追跡システムにおいて、ユーザの投稿に基づいて複数のサブスクライバを前記ユーザに関連付ける前記ステップは、コンテンツ・ブラウザに表示されている選択された投稿に従って前記ユーザとの関連付けを要求するように構成されている、前記コンテンツ・ブラウザのユーザ・インターフェース制御から、要求を受信するステップを含む、請求項１または２に記載の方法。
【請求項４】
広域コンピュータ通信ネットワークの各所に配置された各種様々なフォーラムへの前記ユーザからの様々な投稿を集約する前記ステップは、
前記各種様々なフォーラムに前記様々な投稿をする前記ユーザに関連付けられているコンテンツ・ブラウザから通知を受信するステップと、
前記通知に応答して、各通知毎に、前記フォーラムのうちの対応する１つから関連する投稿を抽出し、前記抽出された投稿をデータ・ストアに保存するステップと、
を含む、請求項１、２または３に記載の方法。
【請求項５】
広域コンピュータ通信ネットワークの各所に配置された各種様々なフォーラムへの前記ユーザからの様々な投稿を集約する前記ステップは、
前記ユーザによる前記様々な投稿について、前記様々なフォーラムから通知を受信するステップと、
前記通知に応答して、各通知毎に、前記フォーラムのうちの対応する１つから関連する投稿を抽出し、前記抽出された投稿をデータ・ストアに保存するステップと、
を含む、請求項１乃至４のいずれか一項に記載の方法。
【請求項６】
前記集約された投稿について前記サブスクライバに通知する前記ステップは、前記各種様々なフォーラムのフォーラム・タイプに従って、前記サブスクライバに対する通知をフィルタリングするステップを含む、請求項１乃至５のいずれか一項に記載の方法。
【請求項７】
サブスクライバのコンテンツ・ブラウザにて、前記フォーラムのうちの１つにおける前記ユーザによる投稿をレンダリングするステップと、
その他の前記様々なフォーラムにおける前記ユーザによるその他の投稿を、前記集約された様々な投稿の中で探し出すステップと、
前記探し出された投稿を前記コンテンツ・ブラウザに列挙するステップと、
をさらに含む、請求項１乃至６のいずれか一項に記載の方法。
【請求項８】
前記集約された様々な投稿に対する検索エンジン・インターフェースを提供するステップをさらに含む、請求項１乃至７のいずれか一項に記載の方法。
【請求項９】
ホスト・サーバで動作している応答追跡論理と、
前記ホスト・サーバに接続されている応答データ・ストアと、
を含む、ソーシャル・ネットワーキング・データ処理システムであって、
前記応答追跡論理は、コンピュータ通信ネットワークを介して前記ホスト・サーバに接続されている複数の様々なフォーラムのうちの１つに対するユーザによる投稿に基づいて、複数のサブスクライバを前記ユーザに関連付けることと、前記ユーザからの前記様々なフォーラムへの様々な投稿を、前記データ・ストアに集約することと、前記投稿が発生すると、前記集約された投稿について前記サブスクライバに通知することと、が可能なプログラム・コードを含む、
前記システム。
【請求項１０】
前記様々なフォーラムは、ウィキ、ブログ、スレッド型ディスカッション・フォーラム、チーム・ルーム、および共有文書ライブラリから成る群から選択されたフォーラムを含む、請求項９に記載のシステム。
【請求項１１】
ソーシャル・ネットワーキング応答追跡用のためのコンピュータ・プログラムであって、前記コンピュータ・プログラムが、
集中型応答追跡システムにおいて、ユーザの投稿に基づいて複数のサブスクライバを前記ユーザに関連付ける機能と、
広域コンピュータ通信ネットワークの各所に配置された各種様々なフォーラムへの前記ユーザからの様々な投稿を集約する、機能と、
前記集約された投稿について、前記サブスクライバに通知する機能と、
をコンピュータに実行させる、コンピュータ・プログラム。
【請求項１２】
集中型応答追跡システムにおいて、ユーザによる投稿に基づいて複数のサブスクライバを前記ユーザに関連付ける前記機能は、ユーザ・グループのユーザによる投稿に基づいて複数のサブスクライバを前記ユーザ・グループに関連付ける機能を含む、請求項１１に記載のコンピュータ・プログラム。
【請求項１３】
集中型応答追跡システムにおいて、ユーザによる投稿に基づいて複数のサブスクライバを前記ユーザに関連付ける前記機能は、コンテンツ・ブラウザに表示されている選択された投稿に従って前記ユーザとの関連付けを要求するように構成されている、前記コンテンツ・ブラウザのユーザ・インターフェース制御から、要求を受信する機能を含む、請求項１１または１２に記載のコンピュータ・プログラム。
【請求項１４】
広域コンピュータ通信ネットワークの各所に配置された各種様々なフォーラムへの前記ユーザからの様々な投稿を集約する前記機能は、
前記各種様々なフォーラムに前記様々な投稿をする前記ユーザに関連付けられているコンテンツ・ブラウザから通知を受信する機能と、
前記通知に応答して、各通知毎に、前記フォーラムのうちの対応する１つから関連する投稿を抽出し、前記抽出された投稿をデータ・ストアに保存する、機能と、
を含む、請求項１１、１２または１３に記載のコンピュータ・プログラム。
【請求項１５】
広域コンピュータ通信ネットワークの各所に配置された各種様々なフォーラムへの前記ユーザからの様々な投稿を集約する前記機能は、
前記ユーザによる前記様々な投稿について、前記様々なフォーラムから通知を受信する機能と、
前記通知に応答して、各通知毎に、前記フォーラムのうちの対応する１つから関連する投稿を抽出し、前記抽出された投稿をデータ・ストアに保存する、機能と、
を含む、請求項１１、１２、１３または１４に記載のコンピュータ・プログラム。